(57)【要約】  通信システムにおける受信器は、循環符号化されたデータを受信する手段（４００、４０６）を含む。この受信器は、受信された循環符号化されたデータからシンボル情報を生成する請求項手段（４００、４０６）をも含む。この受信器はまた、所定の期間についてシンボル情報を記憶する手段（４００、４０６）と、記憶されたシンボル情報を結合することにより試験的なシンボル決定値を生成する手段（４００、４０６）とを含む。
2008504722.tif 000002
【特許請求の範囲】
【請求項１】
通信システムにおける受信器のためのデータ受信方法であって、
循環符号化されたデータを受信するステップ（２０２）と、
前記循環符号化されたデータからシンボル情報を生成するステップ（２０４）と、
所定の期間についてシンボル情報を記憶するステップ（２０６）と、
前記シンボル情報を結合することにより試験的なシンボル決定値を生成するステップ（２０８）と、
を含むことを特徴とする方法。
【請求項２】
前記記憶するステップが、送信フレームについて前記シンボル情報を記憶することを含む、請求項１に記載の方法。
【請求項３】
前記記憶するステップが、送信時間インターバルについて前記シンボル情報を記憶することを含む、請求項１に記載の方法。
【請求項４】
循環符号化されたデータが、レートマッチングされたデータを含む、請求項１に記載の方法。
【請求項５】
繰り返されたシンボルの位置を見つけるために、前記シンボル情報を記憶した後、第２の逆インタリーブ、トランスポートチャネルの逆多重及び逆レートマッチングのうちの少なくとも１つを実行するステップをさらに含む、請求項１に記載の方法。
【請求項６】
前記生成するステップが、ＲＡＫＥ受信器を用いたシンボルレベル検出によって前記シンボル情報を生成することを含む、請求項１に記載の方法。
【請求項７】
前記試験的なシンボル決定値がソフト又はハードな決定値を含む、請求項１に記載の方法。
【請求項８】
ＳＮ比を最大化するために、繰り返されたシンボルを結合するステップをさらに含む、請求項１に記載の方法。
【請求項９】
干渉信号の推定値を生成するために干渉除去受信器において前記試験的なシンボル決定値を用いるステップをさらに含む、請求項１に記載の方法。
【請求項１０】
通信システムにおける受信器であって、
循環符号化されたデータを受信する受信手段（３００、３０２、４００、４０６）と、
前記循環符号化されたデータからシンボル情報を生成する手段（３００、３０２、４００、４０６）と、
所定の期間について前記シンボル情報を記憶する手段（３００、３０２、４００、４０６）と、
前記記憶されたシンボル情報を結合することにより試験的なシンボル決定値を生成する手段（３００、３０２、４００、４０６）と、
を具備することを特徴とする受信器。
【請求項１１】
送信フレームについて前記シンボル情報を記憶する手段をさらに具備する、請求項１０に記載の受信器。
【請求項１２】
送信時間インターバルについて前記シンボル情報を記憶する手段をさらに具備する、請求項１０に記載の受信器。
【請求項１３】
前記循環符号化されたデータが、レートマッチングされたデータを含む、請求項１０に記載の受信器。
【請求項１４】
繰り返されたシンボルの位置を見つけるために、前記シンボル情報を記憶した後、第
２の逆インタリーブ、トランスポートチャネルの逆多重及び逆レートマッチングのうちの少なくとも１つを実行する手段をさらに具備する、請求項１０に記載の受信器。
【請求項１５】
ＲＡＫＥ受信器を用いたシンボルレベル検出によって前記シンボル情報を生成する手段をさらに具備する、請求項１０に記載の受信器。
【請求項１６】
前記試験的なシンボル決定値がソフト又はハードな決定値を含む、請求項１０に記載の受信器。
【請求項１７】
ＳＮ比を最大化するために、繰り返されたシンボルを結合する手段をさらに具備する、請求項１０に記載の受信器。
【請求項１８】
干渉信号の推定値を生成するために干渉除去受信器において前記試験的なシンボル決定値を用いる手段をさらに具備する、請求項１０に記載の受信器。
【請求項１９】
循環符号化されたデータを受信し、
前記循環符号化されたデータからシンボル情報を生成し、
所定期間について前記シンボル情報を記憶し、
前記シンボル情報を結合することにより試験的なシンボル決定値を生成する、
ように構成されたことを特徴とする、通信システムにおける受信器。
【請求項２０】
循環符号化されたデータを受信するための送受信器と、
前記循環符号化されたデータからシンボル情報を生成する生成器と、
所定期間について前記シンボル情報を記憶するメモリ構成要素と、
前記シンボル情報を結合することにより試験的なシンボル決定値を生成する決定装置と、を具備することを特徴とする受信器。
【請求項２１】
循環符号化されたデータを受信する受信手段（３００、３０２、４００、４０６）と、
前記循環符号化されたデータからシンボル情報を生成する生成手段（３００、３０２、４００、４０６）と、
所定期間について前記シンボル情報を記憶する記憶手段（３００、３０２、４００、４０６）と、
前記記憶されたシンボル情報を結合することにより、試験的なシンボル決定値を生成する決定手段（３００、３０２、４００、４０６）と、
を具備することを特徴とするネットワーク構成要素。
【発明の詳細な説明】
【技術分野】
【０００１】
本発明は、データ送信方法及び受信器に関する。
【背景技術】
【０００２】  （公序良俗違反につき、不掲載）, John Wiley & Sons, Ltd, 2000）において部分的に議論されているように、ＣＤＭＡシステムは、受信器の性能及びシステム容量の両方の観点から干渉が制限されるものである。ＣＤＭＡシステムのこのような干渉が制限された性質は、受信器のデザイン、すなわち、受信が典型的には拡散コードマッチドフィルタ（ＭＦ）又は相関器（correlator）に基づいている、ということに起因している。受信された拡散コードは通常完全には直交していないので、多重アクセス干渉（ＭＡＩ）が受信器に存在する。【０００３】
多重アクセス干渉を克服するために、次に最適なマルチユーザ受信器が開発されてきている。マルチユーザ受信器は、幾つかの手法により分類することができる。そのうちの１つの手法は、受信器を２つの主なクラス、すなわち、線形等化器と減算型干渉除去（ＩＣ）受信器とに分類することである。線形等化器、例えばZero-forcing（ＺＦ）検出器、逆相関（de-correlating）検出器、又は、最小２乗誤差（ＭＭＳＥ）検出器は、多重アクセス干渉を抑圧する線形フィルタである。ＩＣ受信器の原理は、多重アクセス干渉成分が推定された後、この成分が決定の信頼性を高めるために受信信号から減算される、というものである。多重アクセス干渉除去は、並列干渉除去（ＰＩＣ）受信器を用いることによりすべてのユーザについて並列に、又は、直列干渉除去（ＳＩＣ）受信器を用いることにより直列手法で実行することができるものである。
【０００４】
ＰＩＣ受信器では、検出は、データを試験的に決定することに基づいているが、逆拡散（de-spread）ビットは、受信性能を向上させるために用いられる。誤った試験的な決定値が生成された場合には、受信された信号における干渉が減少するのではなく増加することになるので、試験的な決定値の質が極めて重要である。
【発明の開示】
【発明が解決しようとする課題】
【０００５】
逆拡散ビットの誤り率が実効符号化速度（Effective Coding Rate; ECR）の低さに起因して増加することにより、受信符号化が送信器において用いられる場合には、この種の受信器の性能が最適とならなくなる、という問題がある。
【０００６】
試験的な（tentative）決定の信頼性を向上させるための従来技術に係る方法が存在する。１つの方法では、受信された情報ブロックが復号化され、復号化されたビットが、干渉を推定する際に用いられる。ここで問題となるのは、復号化処理が、時間を消費するものであるので遅延を発生させる、ということである。
【０００７】
別の解決法では、再送されたデータブロックが、試験的な決定をする際に用いられる（自動再送要求ＡＲＱ及びハイブリッド自動再送要求ＨＡＲＱ）。ここでもまた、時間遅延、すなわち、再送もまた時間を消費する処理である、ということが問題となる。
【課題を解決するための手段】
【０００８】
本発明の１つの特徴によれば、通信システムにおける受信器のためのデータ受信方法であって、循環符号化されたデータを受信するステップと、前記受信された循環符号化されたデータからシンボル情報を生成するステップと、所定期間について前記シンボル情報を記憶するステップと、前記記憶されたシンボル情報を結合することにより試験的なシンボル決定値を生成するステップと、を含む方法が、提供される。
【０００９】
本発明の別の特徴によれば、通信システムにおける受信器であって、循環符号化されたデータを受信する手段と、前記受信された循環符号化されたデータからシンボル情報を生成する手段と、所定期間について前記シンボル情報を記憶する手段と、前記記憶されたシンボル情報を結合することにより試験的なシンボル決定値を生成する手段と、を具備する受信器が、提供される。
【００１０】
本発明の別の特徴によれば、通信システムにおける受信器であって、循環符号化されたデータを受信し、前記受信された循環符号化されたデータからシンボル情報を生成し、所定期間についてシンボル情報を記憶し、前記記憶されたシンボル情報を結合することにより試験的なシンボル決定値を生成する、ように構成された受信器が、提供される。
【００１１】
本発明の別の特徴によれば、循環符号化されたデータを受信する受信手段と、前記循環符号化されたデータからシンボル情報を生成する生成手段と、所定期間について前記シンボル情報を記憶する記憶手段と、前記記憶されたシンボル情報を結合することにより試験的なシンボル決定値を生成する決定手段と、を具備するネットワーク構成要素が、提供される。
【００１２】
本発明によればいくつかの効果が得られる。本発明の１つの実施形態では、シンボル情報が所定期間（例えば送信時間インターバル）について記憶され、これにより、受信符号化においても、繰り返されたシンボルの信号エネルギーを増加させることが可能となる。送信された信号のより大きなエネルギー量を収集することができかつ決定動作において用いることができるので、試験的な決定値の質を向上させることができる。さらには、時間遅延（time-delay）を著しく除去することが実現可能となる。
【発明を実施するための最良の形態】
【００１３】
以下、様々な実施形態及び添付図面を参照して本発明をより詳細に説明する。
【００１４】
図１を参照して、本発明の様々な実施形態を適用することができる通信システムの一例について考える。本発明は、様々なワイヤレス通信システムに適用可能なものである。かかる通信システムの１つの例は、ＵＭＴＳ（ユニバーサル移動電話システム）無線アクセスネットワークである。ＵＭＴＳは、ＷＣＤＭＡ（ワイドバンドＣＤＭＡ）技術を含み、かつ、リアルタイム式の回路交換サービス及びパケット交換サービスを提供することもできる無線アクセスネットワークである。しかしながら、本明細書で示す実施形態は、例として列挙されたシステムに限定されるものではなく、必須の性質を備えた他の無線通信システムにも当業者が適用することができるものである。
【００１５】
当業者には、本発明に係る方法が異なる変調方式又はエアインタフェイス規格を利用したシステムにも適用可能であるということが、明らかである。
【００１６】
図１は、本発明に係る解決法を適用可能なディジタルデータ送信システムを簡略化して示している。これは、ユーザ端末１０６及び１０８に対する双方向無線リンク１０２及び１０４を有する基地局（又はノードＢ）１００を備えた携帯電話無線システムの一部分を示す。これらのユーザ端末は、固定されたもの、車載型のもの、又は、ポータブルなものとすることができる。基地局は、例えば送受信器を含む。基地局の送受信器からは、ユーザ端末に対する双方向無線リンクを確立するアンテナユニットへの接続が設けられている。基地局は、さらに、制御装置１１０、すなわち、これらの端末に対する接続をネットワークの他の部分に送信する無線ネットワーク制御装置（ＲＮＣ）にも接続される。無線ネットワーク制御装置は、さらにコアネットワーク１１０（ＣＮ）に接続される。システムに依存して、ＣＮ側における対応物（counterpart）は、ＭＳＣ（Mobile services Switching Center）、ＭＧＷ（Media Gateway）、又は、ＳＧＳＮ（Serving General Packet Radio Service）とすることができる。
【００１７】
上記携帯電話無線システムは、公衆交換電話網（ＰＳＴＮ）又はインターネットといったような他のネットワークと通信することもできる。
【００１８】
次に、通信システムにおける受信器のためのデータ受信方法の一実施形態についてさらに詳細に説明する。本実施形態は、特にＰＩＣ受信器に好適であるが、チャネル等化といったような様々な種類の受信器の機能に対しても適用可能なものである。
【００１９】
ここで、ＰＩＣ受信器の原理について簡潔に説明する。
【００２０】
典型的には通常のＲＡＫＥ受信器である第１段階において、送信されたシンボルの試験的な（一時的な）（tentative）決定値が生成される。ユーザ固有の受信された広帯域信号が、試験的な決定値と推定されたチャネル係数とを掛け合わせること、及び、取得された信号を再拡散することにより、再生成される。
【００２１】
次の段階において、選択された他のユーザの再拡散された広帯域信号が、受信され遅延した広帯域信号から減算される。通常のＲＡＫＥ受信器を用いて、残存した信号からの検出が実行される。
【００２２】
誤った決定値による影響を減少させることもまた、試験的な決定値に対してその決定値の信頼性に基づいた重み付けを施すことにより、すなわち、決定値の信頼性が低ければ低いほど重みを小さくするということにより、可能である。
【００２３】
ＵＴＲＡＮでは、高いレイヤにおいて生成されたデータは、異なる物理チャネル上にマッピングされたトランスポートチャネルを用い無線インタフェイスを介して搬送される。物理レイヤは、可変ビットトランスポートチャネルをサポートして、バンド幅オンデマンドサービスを提供し、かつ、幾つかのサービスを同一の無線リソース制御（Radio Resource Control;ＲＲＣ）接続に多重することができるようになっている。
【００２４】
符号化及び多重化ユニットからの出力データストリームは、ＣＣＴｒＣＨ（Coded Composite Transport CHannel）と称される。一般的に、１以上のＣＣＴｒＣＨが存在するものとすることができるが、１つの接続では１つの物理制御チャネルしか送信されない。各トランスポートチャネルについては、任意の送信時間インターバル（ＴＴＩ）において、物理レイヤは、１組のトランスポートブロック及び対応するトランスポートフォーマット識別子（Transport Format Indicator;ＴＦＩ）を上位レイヤから受信する。
【００２５】
レイヤ１は、異なるトランスポートチャネルから受信されたＴＦＩ情報を結合させてトランスポートフォーマット結合識別子（Transport Format Combination Indicator；ＴＦＣＩ）とする。このＴＦＣＩは、トランスポートチャネルが現在の無線フレームにおいてアクティブとなっている受信器を通知するために、物理制御チャネルにより送信される。ＴＦＩ情報によれば、符号化、変調及びサービスパラメータの質といったような適用された属性を取得することができる。
【００２６】
本実施形態では、送信された信号を推定するために、試験的なシンボルの決定値が利用される。本実施形態では、リピートされたシンボルの信号電力が、集められて、ノイズが平均化されている場合の検出にも用いられる。信号は、例えば循環符号化（リピティション符号化）（repetition coding）においてリピートすることができる。
【００２７】
本実施形態はブロック２００から開始する。ブロック２０２において、循環符号化されたデータが受信される。
【００２８】
例えばパンクチャリングに加えてレートマッチングにおいて、循環符号化が用いられている。以下、送信器において実行される従来技術に係るレートマッチングの一例について、さらに詳細に説明する。
【００２９】
レートマッチングは、送信しようとするビット数を、個別物理チャネル（ＤＰＣＨ）上の単一のフレームにおいて利用可能なビット数にマッチングさせるために、用いられる。これは、パンクチャリング又は繰返し（リピティション；repetition）のいずれかによって達成される。各サービスについてのリピティション／パンクチャリングの量は、サービスの組み合わせ及びＱｏＳ（Quality of Service）要求に依存する。アップリンク方向では、通常はリピティションが好まれる。パンクチャリングは、典型的には、マルチコード送信を避けるために用いられるか、又は、ユーザ端末の送信器又は基地局の受信器に制限が生じるときに用いられる。
【００３０】
アップリンクのレートマッチングは、フレームごとに実行する（frame-by-frame）という原則によって変化しうる動的な動作である。例えば、２つのトランスポートチャネルのうちの１つがある瞬間についてゼロレート（zero-rate）を有している場合には、レートマッチングは、（拡散要素が同一のままであると仮定すると）すべてのアップリンクチャネルのシンボルが用いられる量にまで他のサービスのシンボルレートを増加させる。
【００３１】
レートマッチングは、問題となっているフレームにおけるアクティブなトラフィックチャネルのビット数を考慮する。ＲＮＣにおけるアドミッション制御（admission control）は、異なるトラフィックチャネル間における相対的なレートマッチングを制御するためのレートマッチング属性を設けている。このレートマッチング属性は、同一のフレームについて幾つかのトラフィックチャネルを多重するときにレートマッチング値を計算するために用いられる。
【００３２】
このレートマッチング属性及びトランスポートフォーマット結合識別子（ＴＣＦＩ）により、受信器は、用いられるレートマッチングパラメータを計算することができ、逆の動作（inverse operation）を実行することができる。レートマッチング属性を調整することにより、ＲＮＣのアドミッション制御は、すべてのサービスについてシンボル電力レベル要求に等しい値又はこれに近い値に到達するように、異なるサービスの質を適合させることができる。
【００３３】
ブロック２０４において、シンボル情報が、受信されレートマッチングされたデータから、典型的には、ＲＡＫＥ受信器を用いたシンボルレベル検出によって、生成される。いくつかのケースでは、ＭＭＳＥタイプの受信器を用いることも可能である。
【００３４】
ブロック２０６において、所定の期間におけるシンボル情報が記憶される。このシンボル情報は、典型的にはバッファに記憶される。ブロック２０４において、検出されたシンボルは、どのシンボルが互いのコピー（繰り返された）であるかを見つけるために、主に逆リピティション（de-repetition）符号化のために記憶され、したがって、互いに結合することができるものである。繰り返されたシンボルは、必ずしも途切れのないシーケンスを形成するとは限らないが、互いに或る距離をおいて配置することができるものである。所定のバッファリング期間は、例えば、送信フレーム又は送信時間インターバル（ＴＴＩ）とすることができる。
【００３５】
リピティション符号化されたブロック全体が受信された後、いくつかのリピティション機能、例えば、第２の逆インタリーブ、送信チャネル逆多重（de-multiplexing）及び逆レートマッチング（de-rate matching）といったような機能が、典型的には実行される。
【００３６】
ＵＴＲＡＮ送信では、第２のインタリーブが、時にはインフラフレームインタリーブ（infra-frame interleaving）と称される無線フレームインタリーブを実行する。この第２のインタリーブを実行するインタリーバの出力から、物理チャネル上にビットがマッピングされる。
【００３７】
３ＧＰＰでは、標準的なレートマッチングが、各トランスポートチャネルについて別々に実行され、第２のインタリーブが、トランスポートチャネルの多重及びレートマッチングの後に実行される。したがって、３ＧＰＰ標準が用いられる場合には、典型的には、逆インタリーブ、トランスポートチャネルの逆多重及び逆レートマッチングが、繰り返されたシンボルの位置を見付けるためのシンボル情報バッファリングの後に、受信器において実行される。これらの機能は、受信器の同一のブロックであって復号化処理において用いられるブロック以外のブロックを用いることにより、実行することができる。
【００３８】
３ＧＰＰ以外のいくつかの他のシステムにおいても可能であり、繰り返されたシンボルの一を見つけるために、シンボル情報の記憶後、第２の逆インタリーブ、トランスポートチャネルの逆多重及び逆レートマッチングといった動作のうちの少なくとも１つを実行することが好ましい。
【００３９】
ブロック２０８において、記憶されたシンボル情報を結合することにより、試験的なシンボル決定値が生成される。１つのシンボルの１又はそれ以上のレプリカも存在しうる。所定の期間（典型的には、送信時間インターバル又は送信フレーム）についてシンボル情報が記憶されているので、繰り返されたシンボルの信号電力もまた、結合されて、決定動作において用いられる。換言すれば、繰り返されたシンボルは、Ｓ／Ｎ比を最大化するために結合される。このことが、試験的な決定値の質を向上させる。試験的なシンボル決定値は、送信されたデータの推定のために利用される。
【００４０】
１つの実施形態では、ＲＡＫＥバンク（bank）を用いることにより、各ユーザについて試験的なシンボル決定値が生成される。チャネル推定は、典型的には、ＲＡＫＥステージにおいても実行される。試験的な決定のための決定装置は、ソフト又はハードの決定装置とすることができる。決定装置は、例えば、ハードの決定値についてはサイン関数（sign functions）を用いることに基づくことができ、ソフトの決定値については双曲線サイン関数（hyperbolic sign function）を用いることに基づくことができる。このように、決定動作の信頼性が考慮に入れられる。
【００４１】
ゼロゾーン（zero zone）重み付け及び線形重み付けといったような重み付け手法も存在する。ゼロゾーン重み付けでは、決定変数が小さいときには、決定値は、−１又は＋１ではなく０である。線形重み付けでは、決定変数が小さいときには、決定値は、決定変数に線形に従い、決定変数が−１又は＋１であるときには、決定値は、信頼性のあるものと考えられる。
【００４２】
本実施形態は、ブロック２１０において終了する。矢印２１２は、本実施形態を繰り返す可能性を描いている。
【００４３】
図３において、上述したデータ送信方法に係るＰＩＣ受信器の１つの実施形態が示されている。当業者には、この受信器の構造が実装に従ってある程度の範囲にまで変更可能である、ということが明らかである。例えば、ユーザの数（ＲＡＫＥブランチの数）は変化するものとすることができる。本実施形態は、明確化を目的として、２つのユーザのみについて描かれている。いくつかのＲＡＫＥ受信器の構造は、ＲＡＫＥバンク（bank）とも称される。
【００４４】
ブロック３００は、第１のユーザのＲＡＫＥ受信器を含む。ＲＡＫＥ受信器のブロック３００は、典型的には、ユーザデータを逆拡散及び積分するためのコード生成器及び相関器を含む。ＲＡＫＥ受信器のブロック３００は、典型的には、チャネル推定器及びチャネル補償器をも含む。チャネル推定を実行するチャネル推定器は、パイロットシンボルに基づいて、チャネル状態を推定する。チャネル補償器は、チャネル推定の複素共役をシンボルに乗ずることにより、チャネルの影響（channel effects）を補償する。ＲＡＫＥ結合器は、チャネル補償がされたシンボルの総和を取り、これにより、フェージングに対するマルチパスダイバーシティをもたらす。ＲＡＫＥ受信器は、通常、チャネルの現在のマルチパス遅延プロファイルを決定し更新するための、マッチドフィルタを含む。
【００４５】
本発明の実施形態に係るＲＡＫＥ受信器のブロックは、図２に示した実施形態に係る試験的なシンボル決定値を生成するための手段をも含む。したがって、ＲＡＫＥ受信器のブロック３００はまた、例えば、メモリ構成要素と、シンボル情報を生成するための手段と、を含む。この例では、チャネル推定は、ＲＡＫＥステージにおいて実行される。
【００４６】
ＲＡＫＥ受信器のブロック３０２は、第２のユーザのためのものである。
【００４７】
試験的なシンボル決定値が、チャネル推定に関する多重アクセス干渉（ＭＡＩ）推定ブロック３０４、３０６において用いられる。ＭＡＩ推定器３０４、３０６は、受信された広帯域の信号の推定値（すなわち、チャネル推定値を乗ぜられた後、再拡散され総和を取られた、試験的なシンボル決定値）を計算する。ＭＡＩ推定値は、総和構成要素３０８、３１０に送られて、第１のユーザの信号からのＭＡＩ推定値が、第２のユーザの第２のＲＡＫＥステージについてより信頼性のある信号を取得するために、受信された信号から差し引かれる。第２のユーザの信号から生成されたＭＡＩ推定値は、第１のユーザの第２のＲＡＫＥステージについてより信頼性のある信号を取得するために、受信された信号から差し引かれる。
【００４８】
実際には、１つの広帯域信号のみを第２のステージに送らなければならないような残余の構造（residual structure）が、ユーザ固有の広帯域信号が第２のステージに送られるような上述した原則的な構造に代えて用いられる。よって、残余の構造は、バスリソースをより経済的に利用する。
【００４９】
第２のＲＡＫＥステージブロック３１２、３１４は、典型的には、ユーザデータを逆拡散して積分するためのコード生成器及び相関器を含む。実際には、第２のステージのＲＡＫＥ受信器は、通常、チャネル推定動作又はインパルス応答測定動作を含まない。ＲＡＫＥ結合器は、チャネル補償がされたシンボルの総和を取り、これにより、フェージングに対するマルチパスダイバーシティをもたらす。ＲＡＫＥ受信器は、通常、チャネルの現在のマルチパス遅延プロファイルを決定し更新するためのマッチドフィルタを含む。
【００５０】
逆インタリーブブロック３１６、３１８及び復号化ブロック３２０、３２２が存在しており、これらの後には、両方のユーザ信号について、干渉が除去された最終的なビット決定値が得られる。マルチステージ干渉除去受信器を用いることも可能である。このような受信器の一例を図４に表現されている。当業者には、この受信器の構造が実装に従ってある程度にまで変化しうる、ということが明らかである。例えば、ステージの数は変化するものとすることができる。
【００５１】
受信された信号は、第１の最大比合成（ＭＲＣ）及びシンボル情報ブロック４００に送られ、ここで、チャネルの影響が補償される。チャネル補償の後に得られたシンボルは、総和をとって、遅延位置間のエネルギー（energy across delay positions）を回復することができる。
【００５２】
本発明の実施形態に係るＭＲＣブロック４００はまた、図２に示した実施形態に係る第１の試験的なシンボル決定値を生成するための手段を含む。したがって、ＭＲＣブロック４００はまた、例えば、メモリ構成要素と、シンボル情報を生成するための手段と、をも含む。この例では、チャネル推定は、ＭＲＣステージにおいて実行される。
【００５３】
第１の試験的なシンボル決定値が、チャネル推定に関する第１の多重アクセス干渉推定ブロック４０２において用いられる。ＭＡＩ推定器４０２は、受信された広帯域信号の推定値（すなわち、チャネル推定値を乗ぜられた後、再拡散され総和が取られた試験的なシンボル決定値）を計算する。ＭＡＩ推定値は、第１の干渉除去ブロック４０４に送られる。
【００５４】
第１の干渉除去ブロック４０４の後には、第２のＭＲＣ推定ブロック及びシンボル情報ブロック４０６、第２のＭＡＩ推定ブロック４０８、第２の干渉除去ブロック４１０が続いており、受信された信号がこれらに対して送られる。第２の試験的な決定値は、チャネル推定に関する第２のＭＡＩ（多重アクセス干渉）推定ブロック４０８に送られる。ＭＡＩ推定値は、第２の干渉除去ブロック４１０に送られる。第２のステージの後、この例では、第３のＭＲＣステージ４１２（シンボル情報生成手段のない）、逆インタリーブブロック４１４、及び、復号化ブロック４１６が存在しており、これらの後には、干渉が除去された最終的なビット決定値が得られる。
【００５５】
本発明の実施形態についての開示された機能は、好ましくは、ソフトウェア手段によって実装することができるものである。他の実装手法、例えば、別々のロジック構成要素による回路、又は、１又はそれ以上のクライアント仕様の集積回路（特定用途向けIC；ＡＳＩＣ）等の様々なハードウェア実装もまた可能である。これらの実装を混ぜ合わせることもまた実行可能である。
【００５６】
以上のように添付図面に係る一例を参照して発明を説明してきたが、本発明は、こういった例に限定されず、添付した特許請求の範囲の技術的範囲内において幾つかの方法により変更することが可能なものである、ということが明らかである。
【図面の簡単な説明】
【００５７】
【図１】図１は、通信システムの一例を示す図である。
【図２】図２は、フロー図である。
【図３】図３は、受信器の一例を示す図である。
【図４】図４は、受信器の別の例を示す図である。
【図１】
2008504722.tif 000003
【図２】
2008504722.tif 000004
【図３】
2008504722.tif 000005
【図４】
2008504722.tif 000006
【国際調査報告】
2008504722.tif 000007
2008504722.tif 000008